(57)【特許請求の範囲】
【請求項１】
片面にのみ側板を設けた隣接配置用の電気機器収納用箱において、
前記側板は、
配線引込み用の開口部と、
この開口部を閉塞する閉塞部材と、
この閉塞部材を一方の箱体内から施錠する内側施錠部と、
この閉塞部材を他方の箱体内から施錠する外側施錠部とを備え、
これら双方の施錠部を側板から突出させることなく側板の内側に形成したことを特徴とする電気機器収納用箱。
【請求項２】
閉塞部材は側板の内側に延設部を備え、
この延設部内に内側施錠部もしくは外側施錠部を形成したことを特徴とする請求項１記載の電気機器収納用箱。
【請求項３】
外側施錠部は、
爪部と長孔とを有する鎖錠片と、
鎖錠片の長孔に係合する鎖錠ねじとからなり、
鎖錠片は延設部内で移動可能に支持されることを特徴とする請求項２記載の電気機器収納用箱。
【請求項４】
長孔は端部に拡大係合部を備え、
該拡大係合部に鎖錠ねじの軸部より大径の張出部が係合することを特徴とする請求項３記載の電気機器収納用箱。
【請求項５】
側板の内側に閉塞部材を支持する補助部を形成し、
内側施錠部は、
軸部より大径の張出部を備えた鎖錠ねじであって、
該張出部は補助部に形成した長孔の拡大孔部に係合することを特徴とする請求項２に記載の電気機器収納用箱。
【発明の詳細な説明】
【技術分野】
【０００１】
本発明は、多数の箱体を隣接させて列状に配置する電気機器収納用箱に関するものである。
【背景技術】
【０００２】
電気機器収納用箱は左右両側に側板を備えているのが基本形であるが、データセンター等において多数の箱体を隣接させて列状に密着配置する場合には、隣接面において側板が二重になる無駄がある。そこで特許文献１に示されるように、片面にのみ側板を設けた電気機器収納用箱が用いられることがある。
【０００３】
側板には配線用の開口部が形成されており、隣り合う箱体の使用者が同一である場合には、この開口部を通して通信ケーブルや電源ケーブルが配線される。しかし隣り合う箱体の使用者が異なる場合には、セキュリティが求められるため、開口部を鎖錠機能を備えた閉塞部材により閉塞している。
【０００４】
特許文献１の電気機器収納用箱では、閉塞部材をネジによって鎖錠している。このためネジの頭部が僅かながら側板の表面から突出する。このため内部機器のサイズ変更等のため箱体を別の箱体と入れ替えるような場合には、密着配置された列から箱体を引出すときに鎖錠部であるネジの頭部が隣接する箱体に引っ掛かったり、隣接する箱体を傷付けてしまうことがあった。
【先行技術文献】
【特許文献】
【０００５】
【特許文献１】特開２０１４−１１３８０号公報
【発明の概要】
【発明が解決しようとする課題】
【０００６】
従って本発明の目的は上記した従来の問題点を解決し、密着配置された列から引出すときにも鎖錠部が隣接する箱体と干渉することのない電気機器収納用箱を提供することである。
【課題を解決するための手段】
【０００７】
上記の課題を解決するためになされた本発明は、片面にのみ側板を設けた隣接配置用の電気機器収納用箱において、前記側板は、配線引込み用の開口部と、この開口部を閉塞する閉塞部材と、この閉塞部材を一方の箱体内から施錠する内側施錠部と、この閉塞部材を他方の箱体内から施錠する外側施錠部とを備え、これら双方の施錠部を側板から突出させることなく側板の内側に形成したことを特徴とするものである。
【０００８】
なお請求項２のように、閉塞部材は側板の内側に延設部を備え、この延設部内に内側施錠部もしくは外側施錠部を形成した構造とすることができる。
【０００９】
また、請求項３のように、外側施錠部は、爪部と長孔とを有する鎖錠片と、鎖錠片の長孔に係合する鎖錠ねじとからなり、鎖錠片は延設部内で移動可能に支持される構造とすることができる。
【００１０】
また請求項４のように、長孔は端部に拡大係合部を備え、該拡大係合部に鎖錠ねじの軸部より大径の張出部が係合する構造とすることができる。
【００１１】
また請求項５のように、側板の内側に閉塞部材を支持する補助部を形成し、内側施錠部は、軸部より大径の張出部を備えた鎖錠ねじであって、該張出部は補助部に形成した長孔の拡大孔部に係合する構造とすることができる。
【発明の効果】
【００１２】
請求項１〜３の発明によれば、鎖錠部が側板から外側に突出しないので、連設された箱列から電気機器収納用箱を引出す際にも、鎖錠部が隣接する箱体と干渉することがなく、作業性を高めることができる。
【００１３】
また請求項４、５の発明によれば、閉塞部材を簡単かつ確実に鎖錠することができる。また、鎖錠ねじを取外さなくても、閉塞部材を移動させて開口部を開口することができるので作業性がよく、また鎖錠ねじを紛失することがない。
【図面の簡単な説明】
【００１４】
【図１】第１の実施形態の電気機器収納用箱を示す斜視図である。
【図２】閉塞部材の斜視図である。
【図３】開口部を示す全体斜視図である。
【図４】開口部の断面図である。
【図５】外側からの斜視図である。
【図６】第２の実施形態の開口部を示す全体斜視図である。
【図７】第２の実施形態の分解斜視図である。
【図８】開口部の断面図である。
【図９】外側からの斜視図である。
【図１０】第３の実施形態の開口部を示す全体斜視図である。
【図１１】開口部の断面図である。
【図１２】外側からの斜視図である。
【図１３】第４の実施形態の閉塞部材を示す斜視図である。
【図１４】閉塞状態を示す斜視図である。
【図１５】開口状態を示す斜視図である。
【図１６】外側閉塞部材の断面図である。
【図１７】外側鎖錠片の斜視図である。
【図１８】鎖錠ねじの正面図である。
【発明を実施するための形態】
【００１５】
以下に本発明の実施形態を説明する。
図１は本発明の電気機器収納用箱を示す斜視図である。本発明の電気機器収納用箱は片面のみに側板１が設けられ、図示しないが反対面には側板がなく開放されている。このためデータセンター等において列状に密着配置すると、隣接する電気機器収納用箱間は１枚の側板１のみによって仕切られることとなり、側板は二重になる無駄が解消され、部品点数の削減によるコストダウンを図ることができる。
【００１６】
図１に示すように側板１には配線用の開口部２が形成されているが、隣接する電気機器収納用箱の使用者が異なる場合には、セキュリティ上の問題が生じるため、開口部２は閉塞部材３により閉塞され、さらに鎖錠されている。
【００１７】
図２は閉塞部材３の斜視図である。閉塞部材３は平面部４と、平面部４から箱体の内側（一方の箱体内）に延びて段差を形成した延設部５を備えている。延設部５は平面部に対して垂直な２つの垂直面６、７と、平面部４に対して平行な平行面８とを備えている。延設部５は平面部４の上下端部を折り曲げて形成されており、鎖錠部の取付部または係合部となる。
【００１８】
図３に示すように、側板１の開口部２の左右両側には、閉塞部材３をガイドするとともに閉塞部材３を側板１と密着させた状態に保持する補助部９が設けられている。補助部９は平板を箱体内側にクランク状に折り曲げたものであり、側板１の裏面に溶接されている。補助部９の側板１に対して垂直方向に延びる垂直片１０には上下方向に延びる長孔１１が形成されている。またこの垂直片１０の端部から側板１に対して平行に形成された平行片１２の下部には、内側鎖錠部１３である鎖錠ネジが設けられている。これらの垂直片１０と平行片１２は、補助部９の延長部を構成している。
【００１９】
開口部２を閉塞するときに閉塞部材３の延設部５の左右両端部は、補助部９の平行片１２の内側に当接され保持されている。この構造によって、閉塞部材３を外側（他方の箱体内）から押しても撓みにくくなっている。図２に示すように、閉塞部材３の延設部５の平行面８には垂直面７に亘って、内側鎖錠部１３である鎖錠ネジの軸が係合される孔部１４が形成されている。このため一方の箱体の内側から、内側鎖錠部１３によって閉塞部材３を鎖錠することができ、また、図４に示すように、内側鎖錠部１３は側板１の外側に突出することがない。
【００２０】
閉塞部材３の上部に形成された垂直面６には、鎖錠孔１９が形成されるとともに、スライドネジ１５が設けられている。図３に示されるように、このスライドネジ１５は前記した長孔１１を貫通し、閉塞部材３を補助部９に対して上下方向にスライドさせることができる。スライドネジ１５は閉塞部材３をガイドさせるために使用されるが、締め付けておけば閉塞部材３が自重で落下することを防止することができる。
【００２１】
図４、図５に示すように、側板１の表面から窪ませた凹部１６内に、外側鎖錠部１７であるラッチが取付けられている。ラッチの爪を図２に示した閉塞部材３の鎖錠孔１９と係合させ、外側から閉塞部材３を鎖錠することができる。ラッチを用いれば、ワンタッチで開錠・鎖錠が可能である。図４に示すようにこの外側鎖錠部１７も側板１の表面から外側には突出していない。
【００２２】
なお図２に示すように、閉塞部材３の上部の平行面８には、落下防止スリット１８が平行面８から垂直面７に亘って形成されている。これは開口部２を開口させた状態で閉塞部材３を保持するためのもので、内側鎖錠部１３である鎖錠ネジを緩ませたうえでこの落下防止スリット１８に通すことで、閉塞部材３を保持することができる。
【００２３】
このように閉塞部材３は、一方の箱体内から施錠する内側施錠部１３と、この閉塞部材３を他方の箱体内から施錠する外側鎖錠部１７とによって鎖錠されており、一方から開錠しただけでは開口部２を開口させることができないので、セキュリティを確保することができる。しかし隣接する電気機器収納用箱の使用者が同一である場合には、内外から開錠することによって閉塞部材３をスライドさせ、開口部２を開口させることができる。
【００２４】
また本発明では、内側鎖錠部１３と外側鎖錠部１７との何れも側板１の表面から突出部分がないため、図１に示したように密着配置された列から箱体を引出すときにも鎖錠部が隣接する箱体に引っ掛かったり、隣接する箱体を傷付けてしまうことはない。
【００２５】
図６から図９に第２の実施形態を示す。この第２の実施形態では図７に示されるように、閉塞部材２０は平面部２１の左右方向の一端に折り曲げ形成された延設部２２を備える。延設部２２の平面部２１と平行な平行面２３の下部には、内側鎖錠部２４であるラッチが爪を下に向けて設けられている。図８に示すように、この内側鎖錠部２４は閉塞部材２０の平行面２３に取付けられ、側板１の外側に突出しない。
【００２６】
図７に示すように、側板１の開口部２の上下両側には、閉塞部材２０をガイドするとともに閉塞時に閉塞部材２０を側板１と密着させた状態に保持する補助部２５が設けられている。上側の補助部２５は側板１に溶接される固定面２６と、これに対して垂直に折り曲げ形成された上側垂直面２７と、その先端の垂下片２８とを備えている。また下側の補助部２５は、同様に下側垂直面２９とその尖端の立ち上がり片３０とを備えている。これらの上下の保持部２５は連結片３１により連結されている。また、側板１と連結片３１との間には、閉塞部材２０の平面部２１がスライド移動可能な空間を形成している。
【００２７】
閉塞部材２０の延設部２２の上下両端部はこれらの上下の補助部２５により左右方向にスライド可能に支持されている。下側垂直面２９の両端部には内側鎖錠部２４であるラッチの爪を係合させる鎖錠孔３２、３３が形成されている。このため内側鎖錠部２４は閉塞部材２０を閉鎖位置で鎖錠することができるのみならず、図６に示すように開口部２を開口させた位置においても、閉塞部材２０を鎖錠することができる。
【００２８】
図７、８、９に示すように、外側鎖錠部３４であるラッチは側板１の凹部内に爪を上向きとして取付けられている。閉塞部材２０の延設部２２の上端面３５には鎖錠孔３６が形成されており、閉塞部材２０を閉鎖位置において鎖錠することができる。なお図６に示すように、上側の補助部２５の上側垂直面２７にもラッチの爪を通すための貫通孔３７が形成されている。ラッチの爪は貫通孔３７を通じて鎖錠孔３６に係合し、閉塞部材２０を鎖錠する。この外側鎖錠部３４も図８に示すように側板１の外側に突出しない。
【００２９】
このように第２の実施形態においては、閉塞部材２０を左右方向にスライド可能とし、内側鎖錠部２４は閉塞部材２０を閉鎖位置でも開放位置でも鎖錠することができる。
【００３０】
図１０〜１２に第３の実施形態を示す。この第３の実施形態では、閉塞部材４０の平面部４１の左右方向の端部に、延設部４２が上下に亘って形成されている。延設部４２は箱体の内側に折り曲げ形成されたもので、平面部４１と平行な平行面４３の上部には図１０に示すような横長の切欠き部４４が形成され、下部には外側鎖錠部４５であるネジの軸を貫通させたネジ孔が形成されている。このように第３の実施形態では、外側鎖錠部４５であるネジは閉塞部材４０とともに移動する。
【００３１】
開口部２の左右両側には、第１補助部４６と第２補助部４７とが形成されている。第１補助部４６は側板１に溶接される固定面４８、これに対して垂直な垂直面４９、側板１と平行な平行面５０を備えており、この平行面５０の上部には内側鎖錠部５１であるネジの軸が貫通している。この内側鎖錠部５１であるネジは閉塞部材４０が開口部２を閉じたとき、その横長の切欠き部４４に嵌る。このためこのネジを締め付けておけば、閉塞部材４０をスライドさせることができない。また平行面５０の下部には横長の切欠き部５２が形成されている。この切欠き部５２は外側鎖錠部４５であるネジの軸が嵌るもので、やはりこのネジを締め付けておけば、閉塞部材４０をスライドさせることができない。また、鎖錠ねじ４５、５１を緩めることで開錠することができ、鎖錠ねじ４５、５１を取り外す必要がない。
【００３２】
第２補助部４７は側板１に溶接される固定面５３とこれに対して垂直な垂直面５４とを備え、側板１と垂直面５４との間に閉塞部材４０の平面部４１がスライドする空間を形成する。
【００３３】
図１３以下に第４の実施形態を示す。図１４に示すように、この第４の実施形態では閉塞部材５６は第２の実施形態と同様に、補助部６１により左右方向にスライド可能に支持されている。閉塞部材５６の形状は第２の実施形態と同様であり、平面部５７の左右方向の一端に折り曲げ形成された延設部５８を備える。延設部５８の平行面５９の下部にはねじ孔が形成されており、内側鎖錠部６０である鎖錠ねじが捩じ込まれている。
【００３４】
補助部６１は開口部２の上下位置に配置されて閉塞部材５６を支持するもので、側板１に固定される固定片６２と、固定片６２から箱体内側に略垂直に折曲形成した垂直片６３と、垂直片６３から固定片６２と平行に折曲形成した平行片６４を備えている。また、補助部６１には、平行片６４もしくは垂直片６３から折曲形成したガイド片７３を備えている。閉塞部材５６の延設部５８は補助部６１の内側、すなわち補助部６１と側板１との間に位置する。それにより、閉塞部材３を外側から押しても撓みにくくすることができ、さらに、閉塞部材５６ががたつくことなくスライド移動可能となる。
【００３５】
平行片６４には長孔６５が形成されており、図１３、図１４のように内側鎖錠部６０である鎖錠ねじがこの長孔６５を通じて閉塞部材５６のねじ孔に捩じ込まれている。長孔６５の端部には、長孔６５の幅よりも大径の拡大孔部６６が形成されている。
【００３６】
鎖錠ねじは図１８に示すように頭部の下面に軸径よりも大径の張出部７０を備えており、図１４のように鎖錠ねじを手締めすることにより、張出部７０が拡大孔部６６に挿通される。この状態では、閉塞部材５６を動かせなくなり、鎖錠される。逆に開錠する場合には、鎖錠ねじを緩めて張出部７０を拡大孔部６６外に位置させれば、鎖錠ねじの軸が長孔６５内を移動可能となり、閉塞部材５６を開口部２から動かすことができる。鎖錠ねじを取り外さなくても開口部２を開口することができるので、作業性がよく紛失する恐れがない。
【００３７】
図１６、図１７に示すように、外側鎖錠部は鎖錠片と鎖錠ねじからなる。閉塞部材５６の延設部５８の外側には金属板を折曲形成した外側鎖錠片６７が外側鎖錠ねじ６９によって取付けられている。外側鎖錠ねじ６９は図１８に示したように内側鎖錠部６０の鎖錠ねじと同じである。外側鎖錠片６７の上端部には図１７に示すように屈曲させた爪部７１が突出形成されている。外側鎖錠片６７には上下方向に延びる長孔７２と、孔状の拡大係合部７４が形成されている。この孔状の拡大係合部７４の内径は、外側鎖錠ねじ６９の張出部７０の外径よりも僅かに大きめに設定されている。このため、鎖錠ねじ６９を締めつけてその張出部７０を外側鎖錠片６７の拡大係合部７４に係合させることにより、外側鎖錠片６７を固定することができる。また外側の鎖錠ねじ６９を緩めて張出部７０を孔状の拡大係合部７４から引き抜けば、外側鎖錠片６７を昇降させることができる。図１４に示すように、補助部６１の垂直片６３にも孔状の貫通孔６８が形成されており、爪部７１を突出させることができる。この状態で外側の鎖錠ねじ６９を締め付けておけば、閉塞部材５６は鎖錠された状態となる。開錠する場合には、外側の鎖錠ねじ６９を緩めて外側鎖錠片６７を図１６のように下降させればよい。長孔７２は拡大係合部７４よりも幅が狭くなっており、外側の鎖錠ねじ６９を緩めるだけで外側鎖錠片６７を昇降することができ、鎖錠ねじ６９を紛失することがない。
【００３８】
この第４の実施形態においても、内側鎖錠部６０である鎖錠ねじも外側鎖錠部も側板１の外側に突出しない。以上に説明したように、何れの実施形態においても、内側鎖錠部と外側鎖錠部は側板１の外部に突出することがなく、連設された箱列から電気機器収納用箱を引出す際にも、鎖錠部が隣接する箱体と干渉することがなく、作業性を高めることができる。
【符号の説明】
【００３９】
１  側板
２  開口部
３  閉塞部材（第１の実施形態）
４  平面部
５  延設部
６  垂直面
７  垂直面
８  平行面
９  補助部
１０  垂直片
１１  長孔
１２  平行片
１３  内側鎖錠部
１４  孔部
１５  スライドネジ
１６  凹部
１７  外側鎖錠部
１８  落下防止スリット
１９  鎖錠孔
２０  閉塞部材（第２の実施形態）
２１  平面部
２２  延設部
２３  平行面
２４  内側鎖錠部
２５  補助部
２６  固定面
２７  上側垂直面
２８  垂下片
２９  下側垂直面
３０  立ち上がり片
３１  連結片
３２  鎖錠孔
３３  鎖錠孔
３４  外側鎖錠部
３５  上端面
３６  鎖錠孔
３７  貫通孔
４０  閉塞部材（第３の実施形態）
４１  平面部
４２  延設部
４３  平行面
４４  切欠き部
４５  外側鎖錠部
４６  第１補助部
４７  第２補助部
４８  固定面
４９  垂直面
５０  平行面
５１  内側鎖錠部
５２  切欠き部
５３  固定面
５４  垂直面
５６  閉塞部材（第４の実施形態）
５７  平面部
５８  延設部
５９  平行面
６０  内側鎖錠部
６１  補助部
６２  固定片
６３  垂直片
６４  平行片
６５  長孔
６６  拡大孔部
６７  外側鎖錠片
６８  貫通孔
６９  外側鎖錠ねじ
７０  張出部
７１  爪部
７２  長孔
７３  ガイド片
７４  拡大係合部
【図１】
0006366498.tif 000002
【図２】
0006366498.tif 000003
【図３】
0006366498.tif 000004
【図４】
0006366498.tif 000005
【図５】
0006366498.tif 000006
【図６】
0006366498.tif 000007
【図７】
0006366498.tif 000008
【図８】
0006366498.tif 000009
【図９】
0006366498.tif 000010
【図１０】
0006366498.tif 000011
【図１１】
0006366498.tif 000012
【図１２】
0006366498.tif 000013
【図１３】
0006366498.tif 000014
【図１４】
0006366498.tif 000015
【図１５】
0006366498.tif 000016
【図１６】
0006366498.tif 000017
【図１７】
0006366498.tif 000018
【図１８】
0006366498.tif 000019